(57)【特許請求の範囲】
【請求項１】
磁気記録層を設けたカード基材上に、該磁気記録層を被覆するように第一隠蔽層と第二隠蔽層とを設け、第二隠蔽層の一部領域に窓枠を設けて該窓枠内に部分的に露出させた第一隠蔽層上に、隠蔽層とは同一色ではないベタインキ層と絵柄層とを施し、全面に保護層を設けたことを特徴とする磁気カード。
【請求項２】
前記第一隠蔽層が、濃度の高い着色インキ又は金や銀インキを使用するものであり、前記第二隠蔽層が金インキまたは銀インキを設けたことを特徴とする請求項１記載の磁気カード。
【請求項３】
前記第二隠蔽層の窓枠が、磁気記録層の上部に設けられていることを特徴とする請求項１又は２に記載の磁気カード。
【発明の詳細な説明】
【０００１】
【発明の属する技術分野】
本発明は磁気記録層上を隠蔽した通称オーバープリントカードに関し、さらにこの隠蔽層上に絵柄層を付与した磁気カードに関するものである。
【０００２】
【従来の技術】
従来より磁気ストライプ等の磁気記録層上に、スクリーン印刷等により隠蔽層を設け、この磁気ストライプを見えないよう意匠性を向上させた通常オーバープリントカードと称される磁気カードが知られていると共に、利用されている。
しかし、従来の技術におけるオーバープリントカードは、図２（Ａ）に示すように、先ず塩化ビニル樹脂等の厚さ０．４〜５μｍ程度のセンターコア材１の両面に、厚さ０．１ｍｍ程度の塩化ビニル樹脂等によるオーバーシートｔ，ｔをラミネートし、所定の位置に磁気記録層２（一般的に磁気ストライプ）を設けてカード基材を構成する。次に磁気記録層上或いは基材全面に、印刷インキ等による隠蔽層３を厚さ１〜１０μｍ程度にスクリーン印刷等を用いて施し、さらに、この隠蔽層３上に直接絵柄層を設けるか、或いは図に示すように絵柄層のためのベタインキ層７を設け、その上にインキ膜厚を薄くした絵柄層５を設けることで磁気カードが得られる。しかしこれらには各種制限があった。例えば、隠蔽層上に設ける絵柄層の意匠性向上のための白色インキによる白ベタインキ層、或いは淡い色のベタインキ層を設けることができなかった。
【０００３】
その理由としては、図２（Ａ）に示すように、先ず白ベタインキ層７を薄く設定する（インキ膜厚、白インキ濃度等）と、下の層に設けた隠蔽層３（例えば金インキ、銀インキ等）の色を隠すことができず、また直接隠蔽層上に絵柄層を設けてもカード品質が低下する。
また、白ベタインキ層７の膜厚を厚く設定すると白色度は向上するが、図２（Ｂ）に示すように、その部分の磁気出力は著しく低下し規格外になってしまう。従って、従来のオーバープリントカード（磁気カード）においては意匠的に制限され、しかも要求品質に基づくカードの製造が困難であった。
【０００４】
【発明が解決しようとする課題】
そこで本発明は、上記の問題に鑑みなされたものて、隠蔽層の設定を改善することで任意の絵柄層を印刷することが可能になると共に、磁気出力の安定した磁気カードを提供することを目的とする。
【０００５】
【課題を解決するための手段】
上記目的を達成するために本発明は、
磁気記録層２を設けたカード基材１上に、第一隠蔽層３と第二隠蔽層４とを設け、部分的に露出させた第一隠蔽層上に、隠蔽層とは同一色ではないベタインキ層７を設け、該ベタインキ層上に絵柄層５を設け、前記第二隠蔽層４の一部領域に窓枠９を設け、該窓枠内に隠蔽層とは同一色ではないベタインキ層７を設けたことを特徴とする磁気カードである。
【０００６】
また、前記第一隠蔽層が、濃度の高い着色インキ又は金や銀インキを使用するものであり、前記第二隠蔽層が金インキまたは銀インキを設けたことを特徴とするものである。
【０００７】
また、前記第二隠蔽層４の窓枠９が、磁気記録層２の上部に設けられていることを特徴とするものである。
【０００８】
【発明の実施の形態】
本発明の磁気カード１０は、隠蔽層を第一隠蔽層３と第二隠蔽層４の二層として、その第二隠蔽層４の一部領域には窓枠９（隠蔽層印刷を部分的に抜いた）を設け、この窓枠内に隠蔽層とは異なる色の着色或いは白色のベタインキ層７を設け、その上にマーク等の絵柄層５を設けることでデザイン的に優れ、かつ磁気出力の安定したカードを提供することができる。
【０００９】
図に基づき本発明の実施の形態を詳細に説明する。
図１は、本発明の実施例における磁気カードの一例を示すもので、（Ａ）は磁気カードの断面説明図であり、（Ｂ）は上記カードの磁気出力波形の一例を示す説明図である。
【００１０】
先ず、図１（Ａ）に示すように、塩化ビニル樹脂等による厚さ０．４５〜０．５ｍｍ程度のセンターコア１の両面に、塩化ビニル樹脂等により厚さ０．１ｍｍ程度のオーバーシートｔ，ｔをラミネートしたシートをカード基材とする。
このカード基材上に磁気記録層２が設けられているが、この磁気記録層は一般的に所定の幅の磁気ストライプが使用されている。また、この磁気ストライプは前記のオーバーシートに設けられたものをラミネートする方法、或いはオーバーシートがラミネートされたカード基材に直接貼り付ける方法のいずれでも適宜選択することができる。なお、この磁気ストライプはカード基材の片側或いは両面に設けることも可能である。
【００１１】
次に、このカード基材上の磁気記録層２（磁気ストライプ）の色が暗褐色或いは黒色系のために第一隠蔽層３を厚さ０．５〜５μｍ程度に施し、磁気記録層を隠蔽する。なお、あまり厚く施すと磁気記録層の再生出力に影響するので前述した厚みの範囲で選択すると良い。この隠蔽層は磁気記録層上を含め自由なデザインができるようにしたものである。従って、この隠蔽力を生かすために濃度の高い着色インキ又は金や銀インキを使用し、印刷もスクリーン印刷等が使用する方法が一般的である。
【００１２】
さらに、本発明はこの第一隠蔽層３上に第二の隠蔽層４を厚さ０．５〜５μｍ程度に設けて、隠蔽力の向上を図ったものである。この第二隠蔽層４には一部領域に適宜な大きさの窓枠９（第二隠蔽層の一部に空白部分を形成する）を設けたもので、この印刷しない窓枠９の底部は第一隠蔽層が露出した状態になる。なお、この窓枠を設ける位置は、磁気記録層の上層部分の位置に設けるもので、しかも磁気記録層（磁気ストライプ）幅よりやや広い領域にすることが好ましい。
【００１３】
但し、限定はしないが、通常第一隠蔽層には濃度のある着色インキにより、第二隠蔽層には前述した金、銀等のインキを施すことが一般的である。
【００１４】
次に、この第二隠蔽層４の窓枠９内に、第一及び第二隠蔽層とは異なる色のインキを用いてベタインキ層７を施すものである。すなわち、第一隠蔽層３が露出した窓枠内にベタインキ層を施すものである。このベタインキ層は、後述する絵柄層の意匠性向上のために、好ましくは白ベタインキが良いがこれに限定するものではなく、隠蔽層の色とは異なるものであれば良い。また、このベタインキ層７の厚さも１〜５μｍ程度が良く、この印刷方法もスクリーン印刷、オフセット印刷等、適宜選択することができる。
【００１５】
さらに、前述したベタインキ層７の上に絵柄層５を設けたものである。前述したように、ベタインキ層は好ましくは白色インキ層を施すことで、この表面に設ける絵柄層５は淡い着色インキ等を用いることができるので、デザイン的にも優れた意匠性が得ることができ、しかもオセット印刷等により薄膜の絵柄層を得ることが可能となる。
【００１６】
さらに、絵柄層や隠蔽層の摩耗を最小限に抑制するためこの絵柄層を含めた全面に保護層６を設けた。この保護層６としては透明な硬化型樹脂を用いることが好ましい。
【００１７】
以上の構成により得られた磁気カードにおける磁気再生出力は、図１（Ｂ）に示すように、隠蔽層、ベタインキ層、絵柄層を重ねて設けても規格上限及び下限内に収めることができた。
【００１８】
【作用】
本発明の磁気カードは、第一隠蔽層と第二隠蔽層を設けたものであるが、この第二隠蔽層の一部領域（マーク等の絵柄を必要とする部分）に窓枠（印刷をしない部分）を設けることにより、隠蔽層が二重に重ならず膜厚を制限することが可能となり、しかも隠蔽層とは異なる色のインキによるベタインキ層を設けることも可能となり、絵柄等の任意のデザインによる意匠性の向上と、しかもこのカードの再生出力を規格内に収めることが可能となる。
【００１９】
【発明の効果】
本発明は以上の構成であるから、下記に示す如き効果がある。
すなわち、磁気カードにおける磁気記録層（磁気ストライプ）上の隠蔽層等の層厚を、従来のカードより薄膜にすることができたので、磁気出力が規格を満足し、かつ白色系のベタインキ層により任意の着色インキを用いた絵柄を磁気ストライプ上に設けることが可能となった。
従って、従来デザイン的に不可能であった磁気カードを製造することが可能で、かつ意匠性の向上が図れる等の種々の効果を奏する。
【図面の簡単な説明】
【図１】本発明の実施例における磁気カードの一例を示すもので、（Ａ）は磁気カードの断面説明図であり、（Ｂ）は上記カードの再生出力は波形の一例を示す説明図である。
【図２】従来の磁気カードの一例を示すもので、（Ａ）は磁気カードの断面説明図であり、（Ｂ）は上記カードの再生出力は波形の一例を示す説明図である。
【符号の説明】
１  ……センターコア
２  ……磁気記録層（磁気ストライプ）
３  ……第一隠蔽層
４  ……第二隠蔽層
５  ……絵柄層
６  ……保護層
７  ……ベタインキ層
９  ……窓枠
１０……磁気カード（オーバープリントカード）
ｔ  ……オーバーシート
【図１】
0003888028.tif 000002
【図２】
0003888028.tif 000003